(57)【要約】【課題】表示機本体から額縁が浮き上ることが防止された表示装置を提供することを課題とする。【解決手段】表示装置１は、表示機本体３０と、表示機本体３０の側面を覆う額縁２０と、表示機本体３０の背面側に配置された支持板７０と、額縁２０と支持板７０とを連結する連結部品５０と、を備えている。額縁２０は、額縁２０の内側に設けられた被係合部２８を含む。連結部品５０は、支持板７０よりも背面側に位置したベース部５１、ベース部５１から表示機本体３０の側面と額縁２０との間にまで延びた舌部５３、舌部５３から延びていると共に被係合部２８と係合することにより表示機本体３０の奥行方向での額縁２０の位置を規定する係合部５８、を含む。【選択図】図１２
2010210956.tif 000002
【特許請求の範囲】
【請求項１】
表示機本体と、
前記表示機本体の側面を覆う額縁と、
前記表示機本体の背面側に配置された支持板と、
前記額縁と前記支持板とを連結する連結部品と、を備え、
前記額縁は、該額縁の内側に設けられた被係合部を含み、
前記連結部品は、前記支持板よりも背面側に位置したベース部、前記ベース部から前記表示機本体の前記側面と前記額縁との間にまで延びた舌部、前記舌部から延びていると共に前記被係合部と係合することにより前記表示機本体の奥行方向での前記額縁の位置を規定する係合部、を含む表示装置。
【請求項２】
前記係合部及び前記被係合部が係合した係合状態においては、前記係合部及び前記被係合部間に前記額縁の反発力が作用している、請求項１の表示装置。
【請求項３】
前記表示機本体の一辺に沿った方向へ前記連結部品をスライドさせることにより、前記係合部及び前記被係合部が係合し又は係合が解除される、請求項１又は２の表示装置。
【請求項４】
前記支持板及び前記連結部品は、前記連結部品のスライドを案内するスライド案内部を含む、請求項３の表示装置。
【請求項５】
前記支持板の背面側に配置される背面板を備えており、
前記背面板及び前記連結部品は、前記係合部及び被係合部の係合の解除を規制するために前記連結部品のスライドを規制するスライド規制部を含む、請求項３又は４の表示装置。
【請求項６】
前記係合部は、前記被係合部との係合を容易にするために先端が斜めに切欠きられた切欠部を含む、請求項１乃至５の何れかの表示装置。
【請求項７】
前記係合部は、前記舌部よりも前記額縁の内面に接近している、請求項１乃至６の何れかの表示装置。
【請求項８】
前記取付部品は、前記表示機本体の一辺に沿うように配置され、
前記表示機本体の一辺と対向する対向辺を囲うようにして前記枠体に固定された、断面略コ字状の保持部品を備えている、請求項１乃至７の何れかの表示装置。
【請求項９】
前記表示機本体の背面側に固定された位置決め部品を備え、
前記額縁及び前記位置決め部品の一方は、前記表示機本体の平面方向に突出した凸部を含み、
前記額縁及び前記位置決め部品の他方は、前記凸部が挿入される凹部を含む、請求項１乃至８の何れかの表示装置。
【請求項１０】
前記額縁及び前記支持板の一方は、前記表示機本体の平面方向に突出した凸部を含み、
前記額縁及び前記支持板の他方は、前記凸部が挿入される凹部を含む、請求項１乃至８の何れかの表示装置。
【請求項１１】
前記凹部は、前記凸部の突出方向への前記凸部の移動を許容しつつ、前記突出方向に直交する方向への前記凸部の移動を規制する、請求項９又は１０の表示装置。
【請求項１２】
前記額縁は、前記凹部内へ前記凸部を案内する位置決め案内部を含む、請求項９の表示装置。
【発明の詳細な説明】
【技術分野】
【０００１】
本発明は、表示装置に関する。
【背景技術】
【０００２】
表示装置には、表示機本体と、表示機本体の縁を覆う額縁とを備えたものがある。特許文献１、２には、表示装置に関する技術が開示されている。
【先行技術文献】
【特許文献】
【０００３】
【特許文献１】特開２００１−８３９００号
【特許文献２】特開２００３−２９５７８８号
【特許文献３】特開平１０−２４６８８号
【発明の概要】
【発明が解決しようとする課題】
【０００４】
合成樹脂製の額縁は、成形上の問題により歪みが生じるおそれがある。歪んだ額縁を表示装置に採用すると、表示機本体から額縁の一部分が浮き上り、表示装置の外観に影響を与える恐れがある。
【０００５】
そこで本発明は上記の課題に鑑みてなされたものであり、表示機本体から額縁が浮き上ることが防止された表示装置を提供することを目的とする。
【課題を解決するための手段】
【０００６】
本明細書に開示の表示装置は、表示機本体と、前記表示機本体の側面を覆う額縁と、前記表示機本体の背面側に配置された支持板と、前記額縁と前記支持板とを連結する連結部品と、を備え、前記額縁は、該額縁の内側に設けられた被係合部を含み、前記連結部品は、前記支持板よりも背面側に位置したベース部、前記ベース部から前記表示機本体の前記側面と前記額縁との間にまで延びた舌部、前記舌部から延びていると共に前記被係合部と係合することにより前記表示機本体の奥行方向での前記額縁の位置を規定する係合部、を含む。係合部と被係合部との係合により、表示機本体の奥行方向での額縁の位置が規定される。これにより、額縁の一部が表示基本体から浮き上ることが防止できる。
【発明の効果】
【０００７】
表示機本体から額縁が浮き上ることが防止された表示装置を提供できる。
【図面の簡単な説明】
【０００８】
【図１】表示装置の外観図。
【図２】表示装置の分解斜視図。
【図３】支持板が取り外された状態での表示装置の背面図。
【図４】ブラケットの説明図。
【図５】ブラケットの説明図。
【図６】支持板の説明図。
【図７】支持板の説明図。
【図８】可動体、固定体の説明図。
【図９】表示装置の断面図。
【図１０】表示装置の拡大断面図。
【図１１】連結部品の説明図。
【図１２】連結部品の説明図。
【図１３】係合部と被係合部との係合の説明図。
【図１４】台座部の説明図。
【図１５】保守点検の説明図。
【図１６】保守点検の説明図。
【発明を実施するための形態】
【０００９】
図１Ａ、１Ｂは、表示装置１の外観図、図２は、表示装置１の分解斜視図である。尚、図２においては、一部の部品を省略してある。表示装置１は、表示機本体３０、台座部８０、本体部１００を含む。表示機本体３０は、画像を表示するための表示画面３２を正面側に有している。台座部８０は、本体部１００に設けられている。台座部８０は、本体部１００に対して表示機本体３０の角度を調整可能にする。本体部１００には、記憶メディアを読み取るための機構が内蔵されている。
【００１０】
図２に示すように、表示機本体３０の正面側の縁部には、正面パネル１０が取付けられる。また、表示機本体３０の側面には、額縁２０が取付けられる。正面パネル１０、額縁２０は、合成樹脂製である。正面パネル１０と額縁２０とは互いに組み付けられる。正面パネル１０、額縁２０は、略矩形状である。額縁２０の両側部にはスピーカを収納するための収納部２１ｓが設けられている。額縁２０は、表示機本体３０の側面を覆う。
【００１１】
表示機本体３０の背面３１側の両側部にはそれぞれブラケット４０Ｌ、４０Ｒが取付けられる。ブラケット４０Ｌ、４０Ｒは、ネジｓ８により表示機本体３０の両側面で固定される。また、ブラケット４０Ｌ、４０Ｒが取付けられた状態で表示機本体３０の背面３１には、支持板７０が取付けられる。ブラケット４０Ｌ、４０Ｒ、支持板７０は金属製である。また、図１Ｂに示すように、支持板７０の背面７１側には背面パネル６０が固定される。背面パネル６０は合成樹脂製である。
【００１２】
図２に示すように、台座部８０の内部には、可動体８３ａ、固定体８３ｂが設けられている。可動体８３ａ、固定体８３ｂは、一対のヒンジ機構８３ｈにより互いに回転可能に連結されている。固定体８３ｂは、本体部１００側に固定されている。可動体８３ａは、支持板７０の背面７１に固定されている。可動体８３ａは、背面７１に固定される一対の保持片８５ａと、一対の保持片８５ａを連結する連結片８４ａとを有している。
【００１３】
ブラケット４０Ｌ、４０Ｒについて説明する。
図３は、支持板７０が取り外された状態での表示装置１の背面図である。尚、図３においては、スピーカを取り外した状態を示している。図４Ａ〜４Ｄ、図５Ａ〜５Ｃは、ブラケット４０Ｒの説明図である。図３において破線ｘ１で囲った箇所の拡大図である。図４Ｂ、４Ｄは、図３において破線ｘ２で囲った箇所の拡大図である。図４Ａ、４Ｂは、表示機本体３０、ブラケット４０Ｒが取り外された状態での正面パネル１０、額縁２０を示している。図４Ｃ、４Ｄは、正面パネル１０、額縁２０に、表示機本体３０、ブラケット４０Ｒが取付けられた状態を示している。
【００１４】
図４Ａ、４Ｂに示すように、額縁２０の長辺側の内面には、一対のリブ２４が設けられている。尚、図４Ａに示すように、上側のリブ２４の間には、リブ２４を補強するための補強リブ２４１が設けられている。図４Ｃ、４Ｄに示すように、リブ２４の間に挟まれるように凸片４４が係合する。凸片４４は、ブラケット４０Ｒの上端及び下端にそれぞれ設けられている。凸片４４は、表示機本体３０の平面方向、即ち、それぞれ上方及び下方に突出している。一対のリブ２４と凸片４４との係合により、凸片４４の突出方向と垂直方向、即ち左右方向への位置ずれが規制される。これにより、ブラケット４０Ｒに対する額縁２０の左右方向での位置ずれが規制される。ブラケット４０Ｒは、表示機本体３０に取付けられているため、これにより、表示機本体３０に対する額縁２０の左右方向での位置ずれが規制される。また、リブ２４と凸片４４との係合状態においては、ブラケット４０Ｒに対する額縁２０の上下方向の位置は規制されない。即ち、凸片４４と額縁２０の上辺との間には一定のクリアランスが確保されている。尚、ブラケット４０Ｌについても、ブラケット４０Ｒと同様の構造を有している。凸片４４は、凸部に相当し、一対のリブ２４は、凸部が挿入される凹部に相当する。
【００１５】
図５Ａ、５Ｂは、図３において破線ｘ３で囲った箇所の拡大図である。
図５Ａは、表示機本体３０が取り外された状態での正面パネル１０、額縁２０を示している。図５Ｂは、正面パネル１０、額縁２０に、表示機本体３０が取付けられた状態を示している。図５Ａに示すように、額縁２０の短辺の内側には、一対のリブ２５が複数設けられている。尚、一部のリブ２５には、リブ２５を補強するためのリブ２５１が設けられている。また、額縁２０の短辺の内側には、複数の係止片２３が設けられている。係止片２３は、支持板７０の縁と係合する。図５Ｂに示すように、ブラケット４０Ｒには、左方向に突出した凸片４５が複数設けられている。一対のリブ２５と凸片４５とが係合することにより、凸片４５の突出方向と垂直方向、即ち上下方向への位置ずれが規制される。これにより、ブラケット４０Ｒに対する額縁２０の上下方向での位置ずれが規制され、表示機本体３０に対する額縁２０の上下方向での位置ずれが規制される。また、リブ２５と凸片４５との係合状態においては、ブラケット４０Ｒに対する額縁２０の左右方向の位置は規制されない。凸片４５と額縁２０の側辺との間には一定のクリアランスが確保されている。凸片４５は、凸部に相当し、一対のリブ２５は、凸部が挿入される凹部に相当する。
【００１６】
図５Ｃは、凸片４５周辺の拡大図である。リブ２５には、案内リブ２５ｇ設けられている。案内リブ２５ｇは、一つのリブ２５と直交している。リブ２５と案内リブ２５ｇとは一体に設けられている。一対のリブ２５の間に把持片５５を案内するための案内面２５ｇ１を有している。このように、一対のリブ２４と凸片４４との係合と、一対のリブ２５と凸片４５との係合とにより、表示機本体３０に対して額縁２０の位置が規定される。ブラケット４０Ｒ、４０Ｌは、位置決め部品に相当する。
【００１７】
このような位置決めは、額縁２０又は正面パネル１０に、表示機本体３０の奥行方向に突出したピンを設け、このピンに嵌合することにより、表示機本体３０に対する額縁２０又は正面パネル１０の位置を規定することもできる。しかしながら、このような奥行方向に突出したピンを設けると、額縁２０を狭額縁とすることができない。本実施例のように、平面方向に突出した凸片４４、４５により位置決めを行うことにより、額縁２０を狭額縁とすることができる。
【００１８】
支持板７０について説明する。図６は、図７Ａ〜７Ｃは、支持板７０の説明図である。図６は、背面パネル６０及び後述する連結部品５０が取り外された状態での表示装置１の背面図である。図６に示すように、支持板７０の長辺には複数の凸片７６が設けられている。尚、支持板７０の下方側の長辺には、凸片７６を省略してある。凸片７６は、上方側の長辺に設けられた凸片７６は上方側に突出している。また、下方側の長辺に設けられた凸片７６は、下方側に突出している。また、支持板７０の短辺には、上方から下方にかけて凹部７７、７７ａが設けられている。
【００１９】
図７Ａは、図６の破線ｘ４で囲まれた部分の拡大図である。図７Ａに示すように、額縁２０の内側には凸片７６が係合する一対のリブ２６が設けられている。凸片７６と一対のリブ２６とが係合することにより、支持板７０に対する額縁２０の左右方向の位置が規定される。また、凸片７６とリブ２６との係合状態においては、支持板７０に対する額縁２０の上下方向の位置は規制されない。即ち、凸片７６の先端と額縁２０の内面との間に一定のクリアランスが設定されている。凸片７６は、凸部に相当し、一対のリブ２６は、凸部が挿入される凹部に相当する。
【００２０】
図７Ｂは、図６の破線ｘ５で囲った部分の拡大図であり、図７Ｃは、図６の破線ｘ６で囲った部分の拡大図である。図７Ｂ、７Ｃに示すように、額縁２０の内側には、凹部７７、７７ａと係合する凸部２７が設けられている。凹部７７の幅Ｅ１よりも、凹部７７ａの幅Ｅ２の方が短い。従って、支持板７０に対する額縁２０の上下方向での位置は、主に凹部７７ａと凸部２７との係合により規定される。以上により、支持板７０に対する額縁２０の位置が規定される。凸部２７は、凸部に相当し、凹部７７、７７ａは、凸部が挿入される凹部に相当する。
【００２１】
可動体８３ａ、固定体８３ｂについて説明する。
図８Ａ、８Ｂは、可動体８３ａ、固定体８３ｂの説明図である。図８Ａは、背面パネル６０が取り外され、可動体８３ａ、固定体８３ｂを覆うカバーを取り外した状態での表示装置１の一部分を示した背面図である。図８Ｂは、可動体８３ａ、固定体８３ｂの拡大図である。可動体８３ａの連結片８４ａと、支持板７０の背面７１側に設けられたバーリング７８、７９とが当接することにより、可動体８３ａに対する支持板７０の位置が規定される。また、図８Ｂに示すように、２つのバーリング７８は、水平方向に並ぶように設けられている。２つのバーリング７８から若干下方にバーリング７９が設けられている。連結片８４ａには、バーリング７９と係合する切欠部８９ａが設けられている。切欠部８９ａは、凹部上である。２つのバーリング７８と可動体８３ａとが当接することにより、可動体８３ａに対する支持板７０の上下方向での位置が規定される。また、バーリング７９と切欠部８９ａとが係合することにより、可動体８３ａに対する支持板７０の左右方向での位置が規定される。これにより、可動体８３ａに対する支持板７０の位置を精度よく規定することができる。これにより、水平方向に対して表示機本体３０が斜めの状態で取付けられることを防止できる。
【００２２】
また、図６に示すように、バーリング７８、７９は、２つの一対のリブ２６に挟まれる位置に設けられている。換言すれば、２つの一対のリブ２６は、バーリング７８、７９に近い位置に設けられている。台座部８０に対する支持板７０の傾きを決定する要因となる、バーリング７８、７９に近い位置で、支持板７０に対する額縁２０の左右方向での位置を規定する。これにより、額縁２０の傾きを抑制することができるからである。
【００２３】
また、図６に示すように、凸部２７と凹部７７ａとの係合位置も、バーリング７８、７９よりも下方側に位置する。バーリング７８、７９に近い位置で、支持板７０に対する額縁２０の上下方向での位置を規定することにより、額縁２０の傾きを抑制することができるからである。
【００２４】
図９は、表示装置１の断面図である。図９に示すように、上方側には連結部品５０が取付けられている。図９の左側が正面側である。図１０Ａ、１０Ｂは、それぞれ図９の破線ｘ７、ｘ８で囲った部分の拡大図である。図１０Ａに示すように、連結部品５０は、断面略Ｌ字状であり金属製である。連結部品５０は、額縁２０の上方側の内側と支持板７０とを連結する機能を有している。詳細には、額縁２０に設けられた被係合部２８と、連結部品５０に設けられた係合部５８とが係合することにより、額縁２０と連結部品５０とは連結される。これにより、表示機本体３０の上端面からの額縁２０の内側面までの距離Ｄ１を短くすることができ、額縁２０を狭額縁とすることができる。
【００２５】
図１０Ｂは、表示機本体３０の下方側の一辺を囲う、断面略コ字状であり金属製の保持部品９０が配置されている。保持部品９０は、額縁２０にネジｓによって固定されている。また、支持板７０は、不図示のネジによって、保持部品９０に取付けられている。詳細には、保持部品９０は、保持部９２と、保持部９２から下方側に延びた突出片９４とを含む。保持部９２の内側には、表示機本体３０を接地するための板バネＦＧが取付られている。突出片９４にはネジｓと嵌合する孔が設けられている。額縁２０には、突出片９４に設けられた孔と対応する位置にネジ穴２９ｓが設けられている。図１０Ｂに示すように、保持部品９０は断面略コ字状である。これにより、表示機本体３０の下端面からの額縁２０の内側面までの距離Ｄ２を短くすることができ、額縁２０を狭額縁とすることができる。例えば、上記連結部品５０、又は保持部品９０を、断面形状を略Ｚ字状とした場合、額縁の平面方向での厚みが増大して、狭額縁とすることはできない。
【００２６】
図１１Ａ、１１Ｂ、１２Ａ〜１２Ｃは、連結部品５０の説明図である。
図１１Ａ〜１１Ｂは、連結部品５０の斜視図である。連結部品５０は、ベース部５１と、ベース部５１から略直交する方向に延びた舌部５３、舌部５３から延びた係合部５８とを含む。ベース部５１には、複数の舌部５３が延びている。係合部５８は、額縁２０の被係合部２８と係合する。また、ベース部５１には、２つの把持片５５が設けられている。また、ベース部５１には、長手方向に延びた複数の案内孔５２が設けられている。
【００２７】
図１２Ａは、表示装置１の背面側からみた連結部品５０を示している。図１２Ａに示すように、支持板７０の上方側の長辺に沿うように配置されている。ベース部５１は、支持板７０よりも背面側に位置している。舌部５３は、表示機本体３０の側面と額縁２０との間にまで延びている。連結部品５０を、支持板７０の長辺に沿うようにして解除方向Ｒにスライドさせることにより、後述する、被係合部２８との係合状態が解除される。尚、連結部品５０を組み付ける際には、連結部品５０を係合方向Ｅにスライドさせることにより、連結部品５０は被係合部２８と係合する。図１２Ａに示した状態においては、被係合部２８と連結部品５０とが係合している。ベース部５１は、支持板７０の背面７１と重なっている。背面７１には、案内ピン７２が設けられている。案内ピン７２と案内孔５２とは、連結部品５０のスライドを案内する機能を有している。
【００２８】
図１２Ｂは、係合部５８と被係合部２８との係合状態を示した断面図である。図１２Ｂにおいては、左側が表示装置１の正面側である。図１２Ｂに示すように、額縁２０の内側には、複数の係合部５８と対応するように複数の被係合部２８が設けられている。この状態で、連結部品５０を解除方向Ｒにスライドさせると、係合部５８は、被係合部２８から退避して係合状態が解除される。これにより、連結部品５０を取り外すことができる。また、ベース部５１が支持板７０の背面７１側に位置しているので、被係合部２８と係合部５８との係合により、ベース部５１は、支持板７０の背面７１に固定される。このようにして連結部品５０は、額縁２０と支持板７０とを連結する。
【００２９】
図１２Ｃは、連結部品５０により額縁２０と支持板７０とを連結した状態で、背面パネル６０を取付けた状態を示した断面図である。図１２Ｃに示すように、支持板７０と対向する背面パネル６０の面には、複数のボス６４、複数の規制片６５が設けられている。背面パネル６０が取付けられると、ボス６４は、連結部品５０を支持板７０側に向けて押圧する。また、規制片６５は、把持片５５と当接して、連結部品５０の解除方向Ｒへのスライドを規制する。これにより、被係合部２８と係合部５８との係合状態が解除されることを防止している。
【００３０】
尚、連結部品５０を着脱する際には、作業者は背面パネル６０を取り外した状態で連結部品５０の把持片５５を掴んで解除方向Ｒにスライドさせることにより、被係合部２８と係合部５８との係合を解除することができる。このように容易に連結部品５０を取り外すことができる。
【００３１】
係合部５８と被係合部２８との係合について説明する。
図１３Ａ、１３Ｂは、係合部５８と被係合部２８との係合の説明図である。図１３Ａに示すように、係合部５８の先端には、被係合部２８との係合を容易にするための切欠部５８１が設けられている。切欠部５８１は、係合部５８の延びた方向に対して傾斜している。図１３Ｂに示すように、舌部５３と係合部５８との境界部分にある折曲部５８３により、係合部５８は舌部５３よりも、額縁２０の内側に接近している。これにより、係合部５８との被係合部２８との係合を確保している。
【００３２】
また、図１３Ａに示したように、被係合部２８と係合部５８との係合により、被係合部２８が表示機本体３０の奥行方向での位置が規定される。これにより、額縁２０が表示機本体３０の正面側に浮き上がることが防止される。額縁２０は合成樹脂製であるため、成形上の問題により歪みが発生する場合がある。額縁２０に歪みが生じていると、表示機本体３０から額縁２０の一部分が浮きあがる恐れがある。しかしながら、被係合部２８と係合部５８との係合により、このような額縁２０の一部分の浮き上がりが防止される。
【００３３】
また、被係合部２８と係合部５８とが係合した状態においては、被係合部２８と係合部５８との間には、額縁２０の反発力が作用している。即ち、額縁２０が強制的に表示機本体３０の縁に沿わされるようにして、被係合部２８と係合部５８とが係合する。額縁２０に反発力が生じる理由は、額縁２０が、合成樹脂製であってある程度弾性変形可能だからである。
【００３４】
次に、保守点検について説明する。
図１４Ａは、台座部８０の背面側を示した図である。図１４Ｂは、図１４ＡのＡ−Ａ断面図である。図１４Ｂに示すように、台座部８０は、ケース８１ａ、８１ｂを含む。可動体８３ａ、固定体８３ｂは、それぞれケース８１ａ、８１ｂ内に配置されている。また、ケース８１ａには、保持片８５ａを覆うチルトパネル８１ａ１が一体に形成されている。チルトパネル８１ａ１と保持片８５ａとは、ネジｓ１により共通に支持板７０に固定されている。また、チルトパネル８１ａ１と支持板７０とは、ネジｓ２により固定されている。図１４Ａに示すようにネジｓ１、ｓ２は、表示装置１の背面側からアクセス可能である。
【００３５】
図１５Ａ〜１５Ｃ、１６Ａ〜１６Ｃは、保守点検の説明図である。
図１５Ａに示すように、背面パネル６０と支持板７０とを固定しているｓ４を取り外して、背面パネル６０を取り外す。次に、図１５Ｂに示すように、連結部品５０を解除方向Ｒにスライドさせて取り外し、ｓ１を取り外す。次に、額縁２０やブラケット４０Ｌ、４０Ｒに配置されている基板のケーブルを外す。次に、支持板７０から係止片２３を外しながら、正面パネル１０及び額縁２０を表示装置１の正面側に取り外す。図１５Ｃは、額縁２０が取り外された状態での表示装置１である。この状態において、表示機本体３０は支持板７０により保持されている。このように、表示機本体３０が支持板７０により保持された状態で、正面パネル１０及び額縁２０を取り外すことができる。
【００３６】
次に、図１６Ａに示すように、表示機本体３０、ブラケット４０Ｌ、４０Ｒと、支持板７０とを固定しているｓ５を外して、表示機本体３０を正面側から取り外す。図１６Ｂ、１６Ｃは、表示機本体３０が取り外された徐伝いでの表示装置１の正面図と斜視図である。
【００３７】
以上のように、簡単な作業で表示機本体３０を取り外すことができる。これにより、表示機本体３０の保守点検を容易に行うことができる。
【００３８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００３９】
上記表示装置１は、画像表示機能のみを有したものであってもよいし、更にパソコンなどの情報処理機能が一体化されたものであってもよい。
【００４０】
（付記１）
表示機本体と、
前記表示機本体の側面を覆う額縁と、
前記表示機本体の背面側に固定された位置決め部品を備え、
前記額縁及び前記位置決め部品の一方は、前記表示機本体の平面方向に突出した凸部を含み、
前記額縁及び前記位置決め部品の他方は、前記凸部が挿入される凹部を含む、表示装置。
【符号の説明】
【００４１】
１  表示機本体    １０  正面パネル    ２０  額縁    ２４、２５、２６  リブ    ２５ｇ  案内リブ    ２７  凸部    ２８  被係合部    ３０  表示機本体    ４０Ｌ、４０Ｒ  ブラケット    ４４、４５  凸片    ５０  連結部品    ５１  ベース部    ５２  案内孔    ５３  舌部    ５５  把持片    ５８  係合部    ６０  背面パネル    ６４  ボス    ６５  規制片    ７０  支持板    ７２  案内ピン    ７６  凸片    ７７、７７ａ  凹部    ７８、７９  バーリング    ８０   台座部    ８１ａ、８１ｂ  ケース    ８１ａ１  チルトパネル    ８３ａ  可動体    ８３ｂ  固定体    ８３ｈ  ヒンジ機構    ８４ａ  連結片    ８５ａ  保持片    ８９ａ  切欠部    ９０  保持部品    ９２  保持部    ９４  突出片    １００  本体部    ５８１  切欠部    ５８３  折曲部
【図１】
2010210956.tif 000003
【図２】
2010210956.tif 000004
【図３】
2010210956.tif 000005
【図４】
2010210956.tif 000006
【図５】
2010210956.tif 000007
【図６】
2010210956.tif 000008
【図７】
2010210956.tif 000009
【図８】
2010210956.tif 000010
【図９】
2010210956.tif 000011
【図１０】
2010210956.tif 000012
【図１１】
2010210956.tif 000013
【図１２】
2010210956.tif 000014
【図１３】
2010210956.tif 000015
【図１４】
2010210956.tif 000016
【図１５】
2010210956.tif 000017
【図１６】
2010210956.tif 000018